(57)【要約】【課題】包装された薬剤容器を外部から容易に見ることができる包装体を提供する。【解決手段】透明なフイルム本体と、そのフイルム本体から切離可能に一体に形成され、その薬剤容器の内容物に関する情報を表示するラベル部とを備える。また、ラベル部の裏面に形成されたラベル粘着剤層と、フイルム本体の巻きつけ終端部に形成された終端粘着剤層と、フイルム本体の両端部に形成された両端粘着剤層とを備える。さらに、ラベル部をフイルム本体から切り離すためのラベル切離部と、ラベル切離部から巻きつけ終端部にわたるフイルム切離部とを備える。薬剤容器の側面にラベル部を貼着するとともにフイルム本体を巻きつけ、巻きつけ終端部を終端粘着剤層にて接着し、両端部を偏平に接着することにより薬剤容器を包装する。包装後、フイルム切離部は薬剤容器を取り出すための開封部となる。【選択図】図１
2006199298.tif 000002
【特許請求の範囲】
【請求項１】
アンプルやバイアルなどの薬剤容器に巻きつけて包装する包装体において、
透明なフイルム本体と、
そのフイルム本体から切離可能に一体に形成され、薬剤に関する情報を表示するラベル部と、
そのラベル部の裏面に形成されたラベル粘着剤層と、
前記フイルム本体の巻きつけ終端部に形成された終端粘着剤層と、
前記フイルム本体の両端部に形成された両端粘着剤層と、
前記ラベル部を前記フイルム本体から切り離すためのラベル切離部と、
前記ラベル切離部から前記巻きつけ終端部にわたるように、前記フイルム本体に設けられたフイルム切離部と、
を備え、前記薬剤容器に前記ラベル部を貼着するとともに前記フイルム本体を巻きつけ、前記巻きつけ終端部を前記終端粘着剤層にて接着し、前記両端部を偏平に接着することにより前記薬剤容器を包装し、
包装後、前記フイルム切離部は前記薬剤容器を取り出すための開封部となることを特徴とする薬剤容器の透明包装体。
【請求項２】
アンプルやバイアルなどの薬剤容器に巻きつけて包装する包装体において、
透明なフイルム本体と、
そのフイルム本体から切離可能に一体に形成され、薬剤に関する情報を表示するラベル部と、
そのラベル部の裏面に形成されたラベル粘着剤層と、
前記フイルム本体の巻きつけ終端部に形成された終端粘着剤層と、
前記フイルム本体の少なくとも両端部に形成された、加熱によって溶融するヒートシール材層と、
前記ラベル部を前記フイルム本体から切り離すためのラベル切離部と、
前記ラベル切離部から前記巻きつけ終端部にわたるように、前記フイルム本体に設けられたフイルム切離部と、
を備え、前記薬剤容器に前記ラベル部を貼着するとともに前記フイルム本体を巻きつけ、前記巻きつけ終端部を前記終端粘着剤層にて接着し、前記両端部を偏平に閉じ且つ加熱することにより前記ヒートシール材層を溶融させて接着し、
前記両端部を接着した後、前記フイルム切離部は前記薬剤容器を取り出すための開封部となることを特徴とする薬剤容器の透明包装体。
【請求項３】
前記両端部に、自身と同種の材料と接合した場合に粘着化する自己粘着性剤層が設けられている請求項１記載の薬剤容器の透明包装体。
【請求項４】
前記薬剤容器に巻きつけて前記両端部を偏平に接着する際に向かい合う前記両端粘着剤層に挟まれる位置に、介在用基材が貼り付けられている請求項１記載の薬剤容器の透明包装体。
【請求項５】
前記薬剤容器に巻きつけて前記両端部を偏平に接着する際に折り目となる箇所と、前記両端粘着剤層の端部との、少なくとも一方に応力緩和部が形成され、
接着された前記両端部を開けようとする応力を、前記応力緩和部が緩和する請求項１または２に記載の薬剤容器の透明包装体。
【請求項６】
前記ラベル部は、
第一ラベル部と、
その第一ラベル部から切離可能な第二ラベル部と、
その第二ラベル部を前記第一ラベル部から切離するためのラベル内切離部と、
前記第二ラベルに設けられた、指をかける突部と、
を含む請求項１または２に記載の薬剤容器の透明包装体。
【発明の詳細な説明】
【技術分野】
【０００１】
本発明は、薬剤容器の透明包装体に関するものである。
【背景技術】
【０００２】
アンプルやバイアルなどの薬剤容器を包装するものとして従来から、例えば下記特許文献１の遮光包装体が知られている。これは例えば紙片の裏側にアルミ箔を張り合わせた遮光性材料から構成されるもので、アンプル等の側面に巻きつけ、その両端を偏平に接着して包装に用いる。また、内容液の情報を表示するための表示部や、包装後に開封するための切取り線が設けられている。
【特許文献１】特許第２８５２１３３号
【０００３】
ところが、上記発明は遮光性材料からなるので、当然のことながら包装されたアンプル等を外部から見ることができない。そのため、アンプル等が破瓶したとしても、目視確認できないという問題があった。そこで、中身を見やすい包装体が求められてきた。
【０００４】
一方、上記の遮光性材料は、アンプル等に巻きつけて両端を接着した後（すなわち包装した後）、接着部が開くような問題が生じにくい。これは上述したように、紙片にアルミ箔を張り合わせた材料を用いているので、材料自体が変形性に富み、接着部に応力が加わりにくいためである。
【０００５】
しかしながら例えばプラスチックフイルムを材料として用いると、アンプルを包装した後に、プラスチックフイルムの応力が加わることにより、接着部が開きやすいという問題が生じる。
【発明の開示】
【発明が解決しようとする課題】
【０００６】
本発明は上述のような事情を背景になされたもので、特に、包装された薬剤容器を外部から容易に見ることができる包装体を提供することを第一の課題とする。また、包装した後に、接着部が開きにくい包装体を提供することを第二の課題とする。
【課題を解決するための手段および発明の効果】
【０００７】
上記課題を解決するために本発明の薬剤容器の透明包装体は、
アンプルやバイアルなどの薬剤容器に巻きつけて包装する包装体において、
透明なフイルム本体と、
そのフイルム本体から切離可能に一体に形成され、薬剤に関する情報を表示するラベル部と、
そのラベル部の裏面に形成されたラベル粘着剤層と、
フイルム本体の巻きつけ終端部に形成された終端粘着剤層と、
フイルム本体の両端部に形成された両端粘着剤層と、
ラベル部をフイルム本体から切り離すためのラベル切離部と、
ラベル切離部から巻きつけ終端部にわたるように、フイルム本体に設けられたフイルム切離部と、
を備え、薬剤容器にラベル部を貼着するとともにフイルム本体を巻きつけ、巻きつけ終端部を終端粘着剤層にて接着し、両端部を偏平に接着することにより薬剤容器を包装し、
包装後、フイルム切離部は薬剤容器を取り出すための開封部となることを主要な特徴とする。
【０００８】
上記本発明を用いて包装する際には、薬剤容器の側面にラベル部を貼着するとともにフイルム本体を巻きつけ、その後、両端を偏平に接着する。フイルム本体は透明なので、薬剤容器を外部から容易に見ることができる。また、ラベル部には製品名や使用期限、コード（例えばバーコード）などの情報が記載されており、透明なフイルム本体を通して外部からこれらの情報を見ることができる。一方、病院などで薬剤を使用する際には、先ずフイルム本体を手で持って引っ張ることにより上記フイルム切離部を切断し、開封する。次に、包装された薬剤容器を取り出すと、ラベル分離部が切断されて、ラベル部のみが貼着した薬剤容器を得ることができる。
【０００９】
フイルム本体には例えばポリエチレンテレフタレートやポリプロピレンなどの透明な合成樹脂が用いらており、包装品が落下した時の衝撃を吸収し、破瓶を防止する効果がある。また、偏平に接着された両端部分は、転がり防止効果がある。さらに、たとえ薬剤容器が破瓶したとしても、内容液やガラス破片などが飛散せず、また、フイルム本体が透明なので破瓶したことを容易に確認ができるという特徴がある。
【００１０】
一方、このように合成樹脂を用いると、包装した後に、合成樹脂の応力が両端に加わり、接着部が開きやすいという問題がある。本発明の透明包装体は、両端部に、自身と同種の材料と接合した場合に粘着化する自己粘着性剤層を用いることにより接着力を向上させ、上記問題を解決した。また、薬剤容器に巻きつけて両端部を偏平に接着する際に向かい合う両端粘着剤層に挟まれる位置に、介在用基材（フイルム、紙、合成紙など）を貼り付け、両端粘着剤層同士の接着を防止することで接着力を向上させた。さらに、薬剤容器に巻きつけて両端部を偏平に接着する際に折り目となる箇所と、両端粘着剤層の端部との、少なくとも一方に応力緩和部を設け、接着された両端部を開けようとする応力を、その応力緩和部に緩和させることで、上記問題を解決した。
【００１１】
また、本発明の薬剤容器の透明包装体は、
アンプルやバイアルなどの薬剤容器に巻きつけて包装する包装体において、
透明なフイルム本体と、
そのフイルム本体から切離可能に一体に形成され、薬剤に関する情報を表示するラベル部と、
そのラベル部の裏面に形成されたラベル粘着剤層と、
フイルム本体の巻きつけ終端部に形成された終端粘着剤層と、
フイルム本体の少なくとも両端部に形成された、加熱によって溶融するヒートシール材層と、
ラベル部をフイルム本体から切り離すためのラベル切離部と、
ラベル切離部から巻きつけ終端部にわたるように、フイルム本体に設けられたフイルム切離部と、
を備え、薬剤容器にラベル部を貼着するとともにフイルム本体を巻きつけ、巻きつけ終端部を終端粘着剤層にて接着し、両端部を偏平に閉じ且つ加熱することによりヒートシール材層を溶融させて接着し、
両端部を接着した後、フイルム切離部は薬剤容器を取り出すための開封部となることを主要な特徴とする。
【００１２】
本発明の透明包装体は、ヒートシール材層を用いた構成とすることができる。より具体的には、熱可塑性樹脂などのヒートシール材層を予めフイルム本体の裏面に設けておき、その上に粘着層をパターン印刷したりする。このようにすると、薬剤容器に巻きつけた後、両端を偏平に閉じて加熱することにより、熱可塑性樹脂を熱融着できる。粘着剤のみを使用して両端を接着する方法と比較すると、高い接着力を得ることが可能となる。
【発明を実施するための最良の形態】
【００１３】
以下、本発明を実施するための最良の形態を図面を用いて説明する。
図１Ａは本発明の透明包装体１の裏面図であり、図１Ｂは表面図である。フイルム本体２は透明な合成樹脂から構成され、その巻きつけ先端側１３にはラベル部３が切離可能に一体に形成されている。巻きつけ先端側１３は両隅を斜めに切り落とした恰好になっている。ラベル部３の表面には製品名や使用期限、ロット捺印、コード（例えばバーコード）などが記されており、裏面には薬剤容器に貼着するためのラベル粘着剤層４が形成されている。フイルム本体２の巻きつけ終端部１０には終端粘着剤層５を設けてあり、両端部１１，１２には両端粘着剤層６を設けてある。さらに、ラベル部３を取り囲むラベル切離部７と、そのラベル切離部７から巻きつけ終端部１０にわたるフイルム切離部８とが、それぞれ形成されている。これらラベル切離部７およびフイルム切離部８はミシン目やハーフカット等の手段を用いて形成することができる。フイルム切離部８は、包装後に開封部となる部分である。このフイルム切離部８は巻きつけ方向に対して平行に設けるか、又は斜めに設けることができるが、図１Ａ，Ｂに示すように斜めに設けるのが好ましい。斜めにすると、薬剤容器に巻きつけた後にフイルム切離部８が同一円周上に重なることが無くなり、内部の気密性を高めることができる。
【００１４】
ラベル部３の表示はフイルム本体２の表面または裏面に印刷して形成することができる。裏面に印刷形成した場合は耐磨耗性、耐薬品性等に優れ、表示が消えないようになる。
【００１５】
また、フイルム本体２として、紫外線や所定の波長の可視光を吸収するものを使用してもよい。具体的には、例えば透明な合成樹脂に周知の紫外線吸収剤等をコーティングしたり、練り込んだりしたものをフイルム本体２として使用する。これにより、フイルム本体２の透明性を確保したまま、薬剤に有害な光を遮断することが可能となる。
【００１６】
一方、終端粘着剤層５はフイルム切離部８上には設けていない。これは、フイルム切離部８上に粘着剤がついていると、切離しにくくなるためである。また、巻きつけ終端部１０には裏面に終端粘着剤層５が付いていない非粘着部９と、凹部９ａ，９ｂが形成されている。これら非粘着部９及び凹部９ａ，９ｂについては後述する。
【００１７】
図２は、以上のように構成された透明包装体１でアンプルａを包装する工程の一例を示している。先ず、剥離紙１２上の透明包装体はローラー１４により搬送されて行き、透明包装体の巻きつけ先端１３側が剥離紙１２の先端から出る状態になると、下方からアンプルａが供給され、透明包装体１のラベル部３とアンプルａがラベル粘着剤層４によって接着する（図２Ａ）。次いで、アンプルａが転動し、転動中にアンプルａの上方を抑えるローラー１５によって透明包装体１が巻きつけられて、アンプルａを被覆する（図２Ｂ）。こうして透明包装体１全体が巻きつけられると、巻きつけ終端部１０に設けられた終端粘着剤層５がローラー１５の巻きつけによって接着し、筒状になる（図２Ｃ）。次いで、筒状になった透明包装体１の両端部１１，１２をクランプ１６で挟み、偏平に接着する（図２Ｄ）。こうして包装品１７が図２Ｅのように搬出され、包装工程が終了する。
【００１８】
図３Ａ，Ｂは包装品１７の正面図と側面図である。フイルム切離部８がアンプルａの周りに螺旋状に巻きついた恰好になって包装品１７の開封部を形成している。また、フイルム切離部８が斜めに設けられていることにより、螺旋状となった内外のフイルム切離部８同士が重なることがなく、高い気密性を保持することができる。そして、製品名、内容薬液の使用期限、ロット捺印などはアンプルａに貼着されたラベル部３を透明なフイルム本体２越しに見ることができる。また、両端粘着剤６の設けられていた箇所は接着して、接着部Ｓとなっている。
【００１９】
以上のような包装品１７の上下を図４のように手で持って引っ張ると、図５のようにフイルム本体２をフイルム切離部８に沿って容易に分断でき、中のアンプルａを取り出せる状態になる。次に、アンプルａを引っ張り出すと、ラベル部３を囲んでいるラベル切離部７が切断されて、図６のようにラベル部３が貼着されたアンプルａを取り出すことができる。
【００２０】
次に、両端１１，１２を、より強力に接着する方法について述べる。図７はその一例であり、両端粘着剤層６上の一部に、自己粘着性剤層１８を設けたものである。より具体的には、フイルム本体２をアンプルａに巻きつけて筒状（図７Ｂ）とした後に、その筒状の内周面となる位置に、自己粘着性剤層１８を設けてある。ここで自己粘着性剤層とは、自己と同種の材料と接合した場合に粘着性を示す物質を指す。このように透明性包装材１を構成した上でアンプルａに巻きつけると、図７Ｂに示すように、筒状となったフイルム本体２の内周面に自己粘着性剤層１８が位置するので、クランプ１６で挟んで接着した際（図７Ｃ）に、自己粘着性剤層１８同士が合わさって高い粘着力を発揮する。そのため、包装品１７となった後で両端部１１，１２が開いてしまうような不具合が少なくなる。
【００２１】
一方、通常の粘着剤は、フイルムや紙などに対しては高い接着力を示すが、粘着剤同士が合わさると接着力が低下する傾向がある。このような不具合を回避するために、図８Ａに示すように両端粘着剤層６上の一部に、フイルム、紙、合成紙などから成る介在用基材１９を貼り付けておくとよい。より具体的には、アンプルａに巻きつけて筒状（図８Ｂ）にし、クランプ１６によって両端部１１，１２偏平に接着する（図８Ｃ）際に、向かい合う両端粘着剤層６に挟まれる位置に介在用基材１９を貼り付けておく。このようにすると、介在用基材１９が両端粘着剤層６同士の接着を防止するので、接着力が高まる。
【００２２】
また、熱可塑性樹脂などからなるヒートシール材を用いることもできる。図９Ａの透明包装体１ではフイルム本体２の裏面全体にヒートシール材層２０をラミネートしてあり、その上にラベル粘着剤層４および終端粘着剤層５を設けてある。このような透明包装体１をアンプルａに巻きつけると図９Ｂに示すように筒状となる。この後、クランプ１６を用いて両端部１１，１２を偏平に閉じるとともに加熱すると、ヒートシール材層２０が溶融し、接着できる。なお、フイルム本体の両端部１１，１２にのみ局所的に、ヒートシール材を印刷または塗布してもよい。
【００２３】
以上、自己粘着性剤層１８、介在用基材１９、ヒートシール材層２０を用いて接着力を高める方法について説明した。従来の技術では包装した後で接着部が開くような問題はさほど生じなかった。しかしながら透明性樹脂を材料にすると、その応力によって接着部が開きやすくなる。本発明では上述の方法を用いることで、この問題を解決することが可能となる。
【００２４】
次に、応力緩和部２１，２２を設けた実施形態を図１０Ａに示す。応力緩和部２１は、アンプルａに巻きつけて両端を接着する際（図１０Ｂ，Ｃ）に、接着部Ｓの折り目となる箇所に設けたものであり、応力緩和部２２は、両端粘着剤層６の端部に設けたものである。応力緩和部２１，２２はミシン目、切り込み、ハーフカット等を採用することができる。このようにすると、接着部Ｓを開こうとする、フイルム本体２の応力を緩和することができ、包装品１７の接着部Ｓが自然に開いてしまうような問題が生じにくくなる。
【００２５】
次に、図３に戻って、フイルム本体２の巻きつけ終端部１０に設けた非粘着部９及び、アンプルａのイージーカットマークＭについて説明する。上述したように、非粘着部９の裏面には粘着剤が塗布されていないので、包装品１７においては、非粘着部９が僅かに浮き上がっている（図３Ｂ）。また、アンプルａには、頭部を切断しやすい方向を示すイージーカットマークＭ（図３Ａ）が設けられている。非粘着部９はイージーカットマークＭの向きを揃えて包装するために用いるものである。例えば図２で説明した包装工程のうち、Ｃ，Ｄの替わりに図１１のようにすることができる。すなわち、図２Ｃ，Ｄでは透明包装体１をアンプルａに巻きつけて筒状にした後、向きを揃えること無くクランプ１６で両端部１１，１２を圧着した。それに対して図１１に示す包装工程では、筒状に巻きつけた後にホイール２３を用いて搬送し、その搬送途中において、ホイール２３のアンプル収納部２５内に形成された係止部２４でアンプル側の非粘着部９を引っ掛け、向きを揃える。そしてホイール２３の回転に伴ってアンプルａは図の右下へ移動し、筒状となった透明包装材１の両端部１１，１２を円形クランプ１６’を用いて圧着する。これにより、個々のアンプルａを、イージーカットマークＭの向きを揃えつつ包装することができる。特に本発明のように透明なフイルム本体２を用いる場合は、外部からアンプルａが見えるので、向きを揃えて包装する方が好ましい。
【００２６】
一方、医療現場において、薬剤容器に入れられた薬剤は、薬剤名の表記がない注射器に移し替えられて患者に投与されたり、点滴の輸液容器に混注して使用されたりする。薬剤師や看護師などの医療従事者が薬剤を注射器などに移し替えた後、直ぐに患者に投与すればよいが、席を離れたりすると、注射器にどの薬剤を入れたか後で分からなくなり、誤って使用してしまうことがある。
【００２７】
上記問題を解決可能な透明包装体を図１２〜図１５に示す。まず、図１２Ａ、Ｂに裏面図および表面図を示す。この透明包装体１はラベル部３として第一ラベル部３ａ、第二ラベル部３ｂ、ラベル内切離部２７、突部２６を含む構成となっている。第一ラベル部３ａ及び第二ラベル部３ｂの表面には製品名や使用期限、コード（例えばバーコード）などの情報を記載してある。これら第一ラベル部３ａと第二ラベル部３ｂはともに、包装の際に薬剤容器に貼着する部分であって、その裏面にはラベル粘着剤層４を設けてある。そして、第二ラベル部３ｂは第一ラベル部３ａから切離可能になっている。また、第二ラベル部３ｂの一端には突部２６を設けてあり、第二ラベル部３ｂを切離す際に指をかける部分として用いる。突部２６の裏面にはラベル粘着剤層４を設けておらず、薬剤容器に貼着しないようになっている。
【００２８】
図１２の透明ラベル１を用いた包装品１７を図１３Ａに示す。この包装品１７は、第一ラベル部３ａ及び第二ラベル部３ｂをアンプルａに貼着するとともに、フイルム本体２を巻きつけ、両端を接着することによって包装したものである。フイルム切離部８はアンプルａの周りに螺旋状に巻きついた恰好になって包装品１７の開封部を構成している。第一ラベル部３ａおよび第二ラベル部３ｂには製品名、内容薬液の使用期限、ロット捺印、コード（例えばバーコード）などを表示してあり、透明なフイルム本体２を通してこれらの情報を見ることができる。この包装品１７の上下を手で持って引っ張ると、フイルム切離部８に沿って分断でき、次いで中のアンプルａを引っ張り出すと、第一ラベル部３ａおよび第二ラベル部３ｂを囲んでいるラベル切離部７が切断されて、図１３Ｂのようにアンプルａを取り出すことができる。アンプルａは、側面に第一ラベル部３ａ及び第二ラベル部３ｂが貼着した状態で取り出される。また、突部２６はアンプルａに貼着されておらず、自由に指でつまめる状態となっている。
【００２９】
次に図１４、図１５に示すように注射器２８を用意して、アンプルａ内の薬剤を移し替える。その際、アンプルａの突部２６を指でつまみ、ラベル内切離部２７に沿って、第一ラベル部３ａから第二ラベル部３ｂを切離す。そして切離した第二ラベル部３ｂを注射器２８に貼り付ける。これにより、たとえ医療従事者が一旦、席を外したとしても、薬剤の情報を含む第二ラベル部３ｂが注射器２８に貼付されているので、誤使用を防止できる。
【００３０】
一方、本発明に係る透明包装体１の別の実施形態として、図示しないが、手で容易に引き裂くことができる易カット性フイルムを使用して、フイルム切離部８を設けない構成を採用してもよい。易カット性フイルムとしては例えば低密度ポリプロピレンを使用できる。易カット性フイルムを用いると、フイルム切離部８が無くても、任意の箇所からフイルム本体２を引き裂くことができ、開封が楽になる。
【００３１】
以上説明したように本発明によれば、透明なフイルム本体２を用いているので、包装後にアンプルａ等の薬剤容器を外部から見ることができ、破瓶した場合などの確認が容易である。また、フイルム本体２は薬剤容器が落下した場合などに衝撃を吸収する効果があり、両端部１１，１２は偏平に接着されているので転がり防止効果がある。そして、ラベル部３はフイルム本体２と一体に形成されているので、ラベル貼り工程と包装工程を別々に行う必要がない。さらに、両端部１１，１２に部分的に自己粘着性剤層１８や介在用基材１９を設けたり、ヒートシール材層２０を設けたりすることにより、接着部Ｓの接着力を向上できる。また、接着部Ｓの端部または折り目となる部分に応力緩和部２１，２２を設けたので、接着部Ｓを開けようとするフイルム本体２の応力を緩和することができる。フイルム切離部８は包装後に薬品容器を取り出すための開封部となるが、本発明ではフイルム切離部８を巻きつけ方向に対して斜めに設けたので、巻きつけ後にフイルム切離部８が同一円周上に重なることがなく、気密性を保てる。さらに、巻きつけ終端部１０には裏面に粘着剤が付けられていない非粘着部９が設けられており、巻きつけ工程においてこの非粘着部９を用いることにより薬剤容器の向きを揃えることができる。
【図面の簡単な説明】
【００３２】
【図１】透明包装体の（Ａ）裏面図（Ｂ）表面図
【図２】包装工程を説明する（上段）平面図（下段）側面図
【図３】包装品の（Ａ）正面図（Ｂ）側面図
【図４】開封作業の説明図
【図５】図４に続く説明図
【図６】図５に続く説明図
【図７】自己粘着性剤層を備えた透明包装体
【図８】介在用基材１９を備えた透明包装体
【図９】ヒートシール材層２０を備えた透明包装体
【図１０】応力緩和部を設けた透明包装体
【図１１】非粘着部９の説明図
【図１２】第一ラベル部３ａ及び第二ラベル部３ｂを備えた透明包装体
【図１３】図１２の透明包装体を用いた包装品
【図１４】第二ラベル部３ｂを切離す図
【図１５】第二ラベル部３ｂを注射器２８に貼着した図
【符号の説明】
【００３３】
１  透明包装体
２  フイルム本体
３  ラベル部
３ａ  第一ラベル部
３ｂ  第二ラベル部
４  ラベル粘着剤層
５  終端粘着剤層
６  両端粘着剤層
７  ラベル切離部
８  フイルム切離部（開封部）
９  突部
１０  巻きつけ終端部
１１，１２  両端部
１３  巻きつけ先端部
１７  包装品
１８  自己粘着性剤層
１９  介在用基材
２０  ヒートシール材層
２１，２２  応力緩和部
２３  接着部
２６  突部
２７  ラベル内切離部
【図１】
2006199298.tif 000003
【図２】
2006199298.tif 000004
【図３】
2006199298.tif 000005
【図４】
2006199298.tif 000006
【図５】
2006199298.tif 000007
【図６】
2006199298.tif 000008
【図７】
2006199298.tif 000009
【図８】
2006199298.tif 000010
【図９】
2006199298.tif 000011
【図１０】
2006199298.tif 000012
【図１１】
2006199298.tif 000013
【図１２】
2006199298.tif 000014
【図１３】
2006199298.tif 000015
【図１４】
2006199298.tif 000016
【図１５】
2006199298.tif 000017